(57)【要約】【課題】  複数の眼鏡をフレームデザインを見栄え良く立体的に陳列することができ、また、陳列の省スペース化も図れ、しかも、配置や雰囲気に合わせて陳列した眼鏡の向きを部分的に変えることもできる眼鏡陳列用の回転式ディスプレイを提供すること。【解決手段】  展示箇所に載置される基台１と；この基台１に鉛直に立てた状態で水平方向に回転自在に固定された板体であって、互いの回転動作に干渉しないように配置された複数の背板２・２と；この背板２に複数段設けられた、眼鏡Ｇ・Ｇ…を載置するための棚板３・３…とを含んで眼鏡陳列用のディスプレイを構成し、前記背板２・２を個別に回転操作することにより各背板２の棚板３上に載置された眼鏡Ｇ・Ｇ…の向きを自在に調節可能とした。【選択図】  図１
0003165269.tif 000002
【実用新案登録請求の範囲】
【請求項１】
展示箇所に載置される基台１と；この基台１に鉛直に立てた状態で水平方向に回転自在に固定された板体であって、互いの回転動作に干渉しないように配置された複数の背板２・２と；この背板２に複数段設けられた、眼鏡Ｇ・Ｇ…を載置するための棚板３・３…とを含んで構成され、
前記背板２・２を個別に回転操作することにより各背板２の棚板３上に載置された眼鏡Ｇ・Ｇ…の向きを自在に調節可能としたことを特徴とする眼鏡陳列用の回転式ディスプレイ。
【請求項２】
背板２の下部に雌ネジ部21を設けると共に、この雌ネジ部21に、基台１の貫通孔11に下側から差し込んだネジ部材Ｎを螺合させて背板２を基台１に回転自在に固定したことを特徴とする請求項１記載の眼鏡陳列用の回転式ディスプレイ。
【請求項３】
棚板３を背板２の前後に設けると共に、棚板３を背板２の側方に持ち出した状態で固定し、更に棚板３の前後縁部に落下防止用の立上り部31・31’を形成して眼鏡Ｇと眼鏡ケースＫをセットで陳列可能としたことを特徴とする請求項１または２記載の眼鏡陳列用の回転式ディスプレイ。
【請求項４】
背板２の側縁部の所定位置に水平方向のスリット22を設けると共に、棚板３の一端側にも中央付近に長手方向のスリット32を設けて、これらのスリット22・32同士を嵌め合わせることにより背板２に棚板３を着脱自在に固定したことを特徴とする請求項３記載の眼鏡陳列用の回転式ディスプレイ。
【請求項５】
展示箇所に載置される基台１と；この基台１に鉛直に立てた状態で固定された円柱型の支柱４と；この支柱４に積み重ねた状態で挿通され、かつ、各々が回転自在に装着される複数の円筒部材であって、胴部に持出し部51・51…が突設されて、これらの持出し部51・51…上に眼鏡Ｇのフロント部Ｆおよび左右のテンプルＴ・Ｔを載置可能なパイプユニット５・５…とを含んで構成され、
前記パイプユニット５・５…を個別に回転操作することにより各ユニットの持出し部51・51…に載置された眼鏡Ｇ・Ｇの向きを自在に調節可能としたことを特徴とする眼鏡陳列用の回転式ディスプレイ。
【請求項６】
支柱４の上端部にパイプユニット５との間に生じる隙間を覆うための上蓋６が装着されていることを特徴とする請求項５記載の眼鏡陳列用の回転式ディスプレイ。
【考案の詳細な説明】
【技術分野】
【０００１】
本考案は、眼鏡陳列用ディスプレイの改良、詳しくは、複数の眼鏡をフレームデザインが綺麗に見えるように立体的に陳列することができ、また、陳列の省スペース化も図れ、しかも、配置や雰囲気に合わせて陳列した眼鏡の向きを部分的に変えることもできる眼鏡陳列用の回転式ディスプレイに関するものである。
【背景技術】
【０００２】
周知のとおり、眼鏡の小売店では、テーブルや棚に眼鏡を陳列している展示形式をよく見かけるが、平らなテーブル上に眼鏡を並べる際には、客が眼鏡フレームのデザインを確認し易いように、眼鏡同士をある程度離して配置していることが多い。
【０００３】
ところが、上記のように間隔を空けて眼鏡を配置すると、多くの眼鏡を取り扱う小売店では、非常に広い陳列スペースが必要となって販売エリアの制限上、売りたい全種類の眼鏡を陳列することが難しくなる。また、テーブル上に単に眼鏡を並べるだけだと陳列が平面的になって眼鏡のデザインが綺麗に見えないという不満もある。
【０００４】
そこで、従来においては、基台に鉛直方向に立てた支柱に対し、上下方向に所定間隔で持出し部を設けて、これらの持出し部に眼鏡フレームを載置することにより、複数の眼鏡を空間的な高さを活かして立体的に陳列できるようにしたディスプレイも提案されている(特許文献１〜３参照)。
【０００５】
しかしながら、上記従来のディスプレイは、陳列の省スペース化が図れるものの、陳列する眼鏡の向きが全体として固定されていたことから、配置や雰囲気によって眼鏡を別々の方向を向けて陳列したくてもそれに対応することができず、小売店側が充分に満足できる機能を備えていなかった。
【先行技術文献】
【特許文献】
【０００６】
【特許文献１】登録実用新案第３０６１４１８号公報（第１―１０頁、第１−５図）
【特許文献２】登録実用新案第３１６１４０５号公報（第１―７頁、第１−４図）
【特許文献３】特開２０１０−８２４０６号公報（第１―８頁、第１−７図）
【考案の開示】
【考案が解決しようとする課題】
【０００７】
本考案は、上記の如き問題に鑑みて為されたものであり、その目的とするところは、複数の眼鏡をフレームデザインを見栄え良く立体的に陳列することができ、また、陳列の省スペース化も図れ、しかも、配置や雰囲気に合わせて陳列した眼鏡の向きを部分的に変えることもできる眼鏡陳列用の回転式ディスプレイを提供することにある。
【課題を解決するための手段】
【０００８】
本考案者が上記課題を解決するために採用した手段を添付図面を参照して説明すれば次のとおりである。
【０００９】
即ち、本考案は、展示箇所に載置される基台１と；この基台１に鉛直に立てた状態で水平方向に回転自在に固定された板体であって、互いの回転動作に干渉しないように配置された複数の背板２・２と；この背板２に複数段設けられた、眼鏡Ｇ・Ｇ…を載置するための棚板３・３…とを含んで眼鏡陳列用のディスプレイを構成し、
前記背板２・２を個別に回転操作することにより各背板２の棚板３上に載置された眼鏡Ｇ・Ｇ…の向きを自在に調節可能とした点に特徴がある。
【００１０】
また本考案では、上記技術的手段を採用する上で、背板２の下部に雌ネジ部21を設けると共に、この雌ネジ部21に、基台１の貫通孔11に下側から差し込んだネジ部材Ｎを螺合させて背板２を基台１に回転自在に固定することができる。
【００１１】
そしてまた、本考案では、上記棚板３を背板２の前後に設けると共に、棚板３を背板２の側方に持ち出した状態で固定し、更に棚板３の前後縁部に落下防止用の立上り部31・31’を形成して眼鏡Ｇおよび眼鏡ケースＫをセットで陳列できるできるようにすることもできる。
【００１２】
また、本考案においては、上記背板２の側縁部の所定位置に水平方向のスリット22を設けると共に、棚板３の一端側にも中央付近に長手方向のスリット32を設けて、これらのスリット22・32同士を嵌め合わせることにより背板２に棚板３を着脱自在に固定することもできる。
【００１３】
一方、本考案では、上記ディスプレイの構成を採用せずに、展示箇所に載置される基台１と；この基台１に鉛直に立てた状態で固定された円柱型の支柱４と；この支柱４に積み重ねた状態で挿通され、かつ、各々が回転自在に装着される複数の円筒部材であって、胴部に持出し部51・51…が突設されて、これらの持出し部51・51…上に眼鏡Ｇのフロント部Ｆおよび左右のテンプルＴ・Ｔを載置可能なパイプユニット５・５…とを含んでディスプレイを構成し、
前記パイプユニット５・５…を個別に回転操作することにより各ユニットの持出し部51・51…に載置された眼鏡Ｇ・Ｇの向きを自在に調節可能とすることもできる。
こともできる。
【００１４】
また本考案において、上記構成を採用する場合には、支柱４の上端部にパイプユニット５との間に生じる隙間を覆うための上蓋６を装着することができる。
【考案の効果】
【００１５】
本考案では、ディスプレイの基台に棚板付きの背板を水平方向に回転自在に取り付け、この棚板に眼鏡を載置可能としたことにより、取り付けた複数の背板を個別に回転させることによって、各背板に載置した眼鏡を、配置や売り場の雰囲気に合わせて同一の方向又は異なる方向に向けて陳列することが可能となる。
【００１６】
また本考案では、上記のように眼鏡を陳列する向きを個別に調節できるだけでなく、複数段設けた棚板に眼鏡を載置することにより、眼鏡等をフレームデザインが綺麗に見えるように立体的に陳列することも可能となる。また、眼鏡を立体的に陳列することによって陳列スペースを小さく抑えることもできる。
【００１７】
したがって、本考案により、多くの眼鏡を取り扱う販売店側および客側の双方にとって都合が良く、また客が充分に見て楽しめる眼鏡陳列用の回転式ディスプレイを提供できることから、本考案の実用的利用価値は頗る高い。
【図面の簡単な説明】
【００１８】
【図１】本考案の実施例１における眼鏡展示用ディスプレイを表わす全体斜視図である。
【図２】本考案の実施例１における眼鏡展示用ディスプレイを表わす部分断面図である。
【図３】本考案の実施例１における眼鏡展示用ディスプレイの構造を表わす分解斜視図である。
【図４】本考案の実施例１における眼鏡展示用ディスプレイの使用時の一形態を表わす全体斜視図である。
【図５】本考案の実施例２における眼鏡展示用ディスプレイを表わす全体斜視図である。
【図６】本考案の実施例３における眼鏡展示用ディスプレイを表わす全体斜視図である。
【図７】本考案の実施例３における眼鏡展示用ディスプレイの構造を表す分解斜視図である。
【図８】本考案の実施例３におけるパイプユニットを表わす全体斜視図である。
【図９】本考案の実施例３における眼鏡展示用ディスプレイの使用時の一形態を表わす全体斜視図である。
【考案を実施するための形態】
【００１９】
『実施例１』
まず本考案の実施例１について、図１から図４に基いて説明する。同図において、符号１で指示するものは基台であり、符号２で指示するものは、背板である。符号３で指示するものは、棚板である。
【００２０】
この実施例１では、展示箇所のテーブルや床等に載置する板状の基台１(材質:プラスチック製)に対し、二枚の背板２・２’(材質:プラスチック製)を鉛直に立てた状態で水平方向に回転自在に固定している(図１参照)。また、二枚の背板２・２’は、互いの回転動作に干渉しないように所定の間隔を空けて配置している。
【００２１】
そしてまた、上記背板２・２’の具体的な取り付け方法について説明すると、本実施例では背板２の下部に設けた雌ネジ部21に、基台１の貫通孔11に下側から差し込んだネジ部材Ｎを螺合して背板２を基台１に回転自在に固定している(図２、図３参照)。
【００２２】
一方、上記背板２・２’については、眼鏡Ｇ・Ｇ…を載置するための棚板３・３…(材質:プラスチック製)をそれぞれ４段ずつ設けている。なお本実施例では、高さが低い側の背板２’に対して、高い側の背板２よりも一段低い位置に棚板３・３…を取り付けている。
【００２３】
また実施例１では、上記棚板３を背板２の前後に設けると共に、棚板３を背板２の側方に持ち出した状態で固定し、更に棚板３の前後縁部に落下防止用の立上り部31・31’を設けて眼鏡Ｇの後に眼鏡ケースＫを立てて両者をセットで陳列できるようにしている。
【００２４】
ちなみに、上記棚板３・３…の具体的な取り付け方法については、図３に示すように背板２の側縁部の所定位置に水平方向のスリット22を設けると共に、棚板３の一端側にも中央付近に長手方向のスリット32を設けて、これらのスリット22・32同士を嵌め合わせることにより背板２に棚板３を着脱自在に固定している。
【００２５】
そして上記で説明したように、背板２・２’を基台に回転自在に固定したことによって、各背板２・２’を個別に回転操作すれば、各背板２の棚板３・３…上に載置した眼鏡Ｇ・Ｇ…を任意の方向に向けることができるため、例えば図４に示すように、背板２・２’をハの字型にしてそれぞれの棚板に載置した眼鏡Ｇ・Ｇ…を別々の方向に向けることもできる。
【００２６】
また実施例１では、上記背板２・２’の形状を工夫して、双方の背板２・２’を重ね合わせた状態で正面から見た際に草むら風のデザインとなるようにしており、これによってディスプレイのデザインを客が見て楽しむことができる。
【００２７】
『実施例２』
次に本考案の実施例２について図５に基いて説明する。この実施例２では、二枚の背板２・２に対称的な形状の板体を使用し、更にこれらの背板２・２は、図５に示すように平行に隣接させた状態で蝶のデザインとなるようにしている。
【００２８】
『実施例３』
次に本考案の実施例３について、図６から図８に基いて説明する。同図において、符号４で指示するものは、支柱であり、符号５で指示するものは、パイプユニットである。また符号６で指示するものは、上蓋である。
【００２９】
まず、この実施例３では、基台１に鉛直に立てた状態で固定した支柱４(材質:プラスチック製)に、円筒型のパイプユニット５・５…(材質:プラスチック製)を積み重ねた状態で挿通して、各々のユニットを回転自在に装着している(図６、図７参照)。
【００３０】
また、上記パイプユニット５に関しては、図８に示すように胴部に三方向の持出し部51・51…を棒部材のネジ止めにより突設して、これらの持出し部51・51…上に眼鏡Ｇのフロント部Ｆおよび左右のテンプルＴ・Ｔを載置可能としている。
【００３１】
また実施例１では、上記パイプユニット５において眼鏡Ｇのフロント部Ｆを載せる持出し部51に凸部51aを設けて、持出し部51・51…上に載置した眼鏡Ｇが前方側にズレて落下しないようにしている。なお、眼鏡Ｇの前方側へのズレを防止するために、持出し部51の凸部51aに替えて凹溝を設けることもできる。
【００３２】
また、上記支柱４の上端部には、支柱４とパイプユニット５との間に生じた隙間に嵌入可能な環状突起61を備えた上蓋６を装着しており、この上蓋６を装着することによって前記支柱４とパイプユニット５の隙間を被覆して見栄えを良くすることができる。また、上蓋６はパイプユニット５の抜止めとしても利用できる。
【００３３】
そして、上記のようにディスプレイを構成したことにより、複数のパイプユニット５・５…を個別に回転操作すれば各ユニットの持出し部51・51…に載置した眼鏡Ｇ・Ｇを別々の方向に向けることが可能となり、例えば、図９に示すように眼鏡の向きを９０°ずつズラして配置することもできる。
【００３４】
本考案は、概ね上記のように構成されるが、本考案は図示の実施形態に限定されるものでは決してなく、「実用新案登録請求の範囲」の記載内において種々の変更が可能であって、例えば、基台１に背板２を回転自在に固定する構造に関しては、ネジ部材を用いずにベアリングやリベットを用いた構造を採用することもできる。
【００３５】
また、基台１に取り付ける背板２の枚数に関しては、複数枚であれば３枚以上であってもよく、その場合には、背板２・２…全体で一つの形態を成すようにデザインを工夫することもできる。
【００３６】
そしてまた、基台１や背板２、棚板３から構成される実施例１及び２に係るディスプレイ或いは、基台１や支柱４、パイプユニット５から構成される実施例３に係るディスプレイを、プラスチック製でなく金属製や木製とすることもでき、何れのものも本考案の技術的範囲に属する。
【産業上の利用可能性】
【００３７】
近年、眼鏡のファッションアイテムとしての価値が高まったことにより、フレームデザインが眼鏡を購入する際の重要な判断要素となっている。そのため、眼鏡販売店では、フレームデザインが魅力的に見えるような陳列を行えるディスプレイが求められている。
【００３８】
そのような中で、本考案の眼鏡陳列用の回転式ディスプレイは、眼鏡を立体的に綺麗に陳列することができるだけでなく、売り場内での配置や売り場の雰囲気に合わせて眼鏡の向きを自由に変えることができる有用な技術であることから、その産業上の利用価値は非常に高い。
【符号の説明】
【００３９】
１  基台
11  貫通孔
２  背板
21  雌ネジ部
22  スリット
３  棚板
31  立上り部
32  スリット
４  支柱
５  パイプユニット
51  持出し部
51a  凸部
６  上蓋
61  環状突起
Ｇ  眼鏡
Ｎ  ネジ部材
Ｋ  眼鏡ケース
Ｆ  フロント部
Ｔ  テンプル
【図１】
0003165269.tif 000003
【図２】
0003165269.tif 000004
【図３】
0003165269.tif 000005
【図４】
0003165269.tif 000006
【図５】
0003165269.tif 000007
【図６】
0003165269.tif 000008
【図７】
0003165269.tif 000009
【図８】
0003165269.tif 000010
【図９】
0003165269.tif 000011